(57)【要約】【課題】タグ所有の有無及び所有タグにより行き先階を自動的に指定するようにしてエレベータの運転を円滑に、かつセキュリティ管理を行えるようにしたエレベータの行き先階指定運転管理システムを提供すること。【解決手段】エレベータ内に配設したコントローラＣＴＬ及びエレベータ搭乗者が所持した行き先階指定等の個人情報をインプットされた特定のタグＴ間を、光信号と電波、或いは光信号のみにて送受信し、このタグＴから受信したエレベータ位置ＩＤ及びタグＩＤ信号とコントローラＣＴＬ側に配設したエレベータ認証用データベースとに基づいて、エレベータの行き先階を指定して運転制御する。【選択図】図１
2006096505.tif 000002
【特許請求の範囲】
【請求項１】
エレベータ搭乗者が所持した行き先階指定等の個人情報をインプットされた特定のタグと、エレベータのコントローラ間にて送受信し、この特定されたエレベータＩＤ及びタグＩＤと、エレベータ認証用データベースとに基づいてエレベータ停止許可階を指定し、この許可階情報と押し釦操作情報とを照合して停止階を指定する運転指令を出すよう運転制御するようにしたことを特徴とするエレベータの行き先階指定運転管理システム。
【請求項２】
タグとコントローラ間の送受信を、光線及び電波にて行うようにしたことを特徴とする請求項１記載のエレベータの行き先階指定運転管理システム。
【請求項３】
タグとコントローラ間の送受信を、光線のみにて行うようにしたことを特徴とする請求項１記載のエレベータの行き先階指定運転管理システム。
【発明の詳細な説明】
【技術分野】
【０００１】
本発明は、エレベータの行き先階指定運転管理システムに関し、特に、所持するタグにより行き先階を指定してエレベータの運転管理を行うようにしたエレベータの行き先階指定運転管理システムに関するものである。
【背景技術】
【０００２】
従来、エレベータの運転は、エレベータ搭乗者が行き先階を、エレベータ内に配設された行き先階指定押し釦を自由に選定して操作することにより指定階にて停止するようにしているのが一般的であるが、予め停止階を指定して運転する場合は、運転制御回路に予め行き先階を入力しておき、該指定階にエレベータが来たとき停止させたり、或いは停止させない場合は該指定階を通過するように設定して運転するようにした運転管理システムが提案されている。
【０００３】
ところが、従来の停止階を指定するようにしたエレベータの運転管理システムでは、エレベータの停止階を予め設定する必要があり、またエレベータ搭乗者に関係なく行き先階が指定され、この指定された階には予め運転制御回路に入力された行き先階指定を解除しない限り停止させることができないという問題があった。
【発明の開示】
【発明が解決しようとする課題】
【０００４】
本発明は、上記従来のエレベータ運転管理システムの有する問題点に鑑み、タグ所有の有無及び所有タグにより行き先階を自動的に指定するようにしてエレベータの運転を円滑に、かつセキュリティ管理を行えるようにしたエレベータの行き先階指定運転管理システムを提供することを目的とする。
【課題を解決するための手段】
【０００５】
上記目的を達成するため、本発明のエレベータの行き先階指定運転管理システムは、エレベータ搭乗者が所持した行き先階指定等の個人情報をインプットされた特定のタグと、エレベータのコントローラ間にて送受信し、この特定されたエレベータＩＤ及びタグＩＤと、エレベータ認証用データベースとに基づいてエレベータ停止許可階を指定し、この許可階情報と押し釦操作情報とを照合して停止階を指定する運転指令を出すよう制御することを特徴とする。
【０００６】
この場合において、タグとコントローラ間の送受信を、光線及び電波にて行うようにすることができる。
【０００７】
また、タグとコントローラ間の送受信を、光線のみにて行うようにすることができる。
【発明の効果】
【０００８】
本発明のエレベータの行き先階指定運転管理システムによれば、エレベータ搭乗者が所持した行き先階指定等の個人情報をインプットされた特定のタグと、エレベータのコントローラ間にて送受信し、この特定されたエレベータＩＤ及びタグＩＤと、エレベータ認証用データベースとに基づいてエレベータ停止許可階を指定し、この許可階情報と押し釦操作情報とを照合して停止階を指定する運転指令を出すよう制御するようにしているから、エレベータ搭乗者が押した指定階押し釦信号と、エレベータ運行制御回路に伝達された許可階指令とが一致しない場合、エレベータ運行制御回路は指定階運転指示を出さないので、いくらエレベータ搭乗者が自分の指定する押し釦を押してもエレベータは搭乗者の指定階には停止しないようにして運転されるので、同じ建物内に階を異にして特別な部屋がある場合でも、予め指定されたタグを持つ人以外の人が、該特別な部屋のある階にはエレベータに乗っては来れないので、階段室があればこれを閉じるだけで妄りに部外者がり込むのを防止し、より高度の防犯管理を行うことができる。
【０００９】
また、タグとコントローラ間の送受信を、光線及び電波にて行うので、非接触での送受信が簡易に行える。
【００１０】
また、タグとコントローラ間の送受信を、光線のみにて行うので、タグとコントローラ間の送受信が混信することなく簡易に、確実に行える。
【発明を実施するための最良の形態】
【００１１】
以下、本発明のエレベータの行き先階指定運転管理システムの実施の形態を、図面に基づいて説明する。
【実施例１】
【００１２】
図１に、本発明のエレベータの行き先階指定運転管理システムの第１実施例を示す。
本発明は、図１に示すように、エレベータ内に配設したコントローラＣＴＬ及びエレベータ搭乗者が所持した行き先階指定等の個人情報をインプットされた特定のタグＴ間を、光信号と電波、或いは光信号のみにて送受信し、このタグＴから受信したエレベータ位置ＩＤ及びタグＩＤ信号とコントローラＣＴＬ側に配設したエレベータ認証用データベースとに基づいて、エレベータの行き先階を指定して運転制御するように構成する。
【００１３】
このエレベータの行き先階指定運転管理システムの詳細を、図１に示すフロー図に従って説明する。
コントローラＣＴＬは、特に限定されるものではないが、例えば、図１に示すように、エレベータＩＤ生成回路１及び認証判定回路２よりなる計算機ＣＰＵと、外部Ｉ／Ｏ制御回路３と、前記エレベータＩＤ生成回路１にて形成されたエレベータＩＤの信号を光信号に変換するようにしてエレベータＩＤ生成回路１に接続する光信号変換回路４と、タグＩＤとエレベータＩＤをキーにデータベースから認証結果を取得するよう認証判定回路２に接続したエレベータ認証用データベース５と、認証判定回路２と外部Ｉ／Ｏ制御回路３との間に接続した合成ＩＤをエレベータＩＤとタグＩＤに変換するようにしたＩＤ変換回路７とから構成する。
なお、必要に応じて光信号変換回路４を、コントローラＣＴＬの外部に配設することもできる。
【００１４】
また、コントローラＣＴＬの光信号変換回路４に赤外線発光器８、例えば、発光ＬＥＤを接続してエレベータＩＤからの信号を光信号に変換して赤外線を発光させ、エレベータ搭乗者が所持したタグＴにてこの赤外線発光を受光するように構成する。
【００１５】
この赤外線発光器８、例えば、発光ＬＥＤは、１台のコントローラＣＴＬの光信号変換回路４に１個又は複数個を接続することができる。この各赤外線発光器８は、特に限定されるものではないが、例えば、エレベータの天井面など、エレベータ搭乗者に向かって赤外線を照射できる位置に配設し、赤外線発光器８とコントローラＣＴＬ間を電気的に接続するようにし、これによりエレベータ搭乗者を認識できるようにする。
【００１６】
このタグＴは、人、例えば、エレベータ搭乗者が所持する場合、名札やバッチの如く形成して胸に装着するか、首から吊り下げるようにして赤外線発光器８からの赤外線発光を受光できるように構成する。
【００１７】
このタグＴの構成は、図１に示すように、１つのケース内に、赤外線発光を受光できるようにした受光フォトダイオード１０と、この受光フォトダイオード１０にて受光した光信号をエレベータＩＤに変換するようにした受信回路１１と、このエレベータＩＤとタグＩＤ（固有ＩＤ）を合成するようにしたＩＤ合成回路１２と、合成ＩＤを電波、例えば、無線信号に合成して発信するようにした発信回路１３とより構成する。
【００１８】
このタグＴから発信される無線信号を受信するための受信器９を外部の固定側、特に限定されるものではないが、例えば、エレベータ側に配設したコントローラＣＴＬの近傍に配置接続し、この受信器９にて受信した無線信号をコントローラＣＴＬの外部Ｉ／Ｏ制御回路３に投入できるように配設して構成する。
【００１９】
この受信器９は１台で複数のタグからの信号を受信するようにすることもできるが、１台のエレベータに１台の受信器９を配設し、該受信器９とコントローラＣＴＬの外部Ｉ／Ｏ制御回路３とを接続するようにする。
なお、この無線信号の送受信は、特に限定されるものではないが、例えば、ＲＦＩＤ（Radio Frequency Identifiation（電波方式認識））にて行うことができる。
【００２０】
また、コントローラＣＴＬの外部Ｉ／Ｏ制御回路３には、コントローラＣＴＬの外部に配設して構成するエレベータ運行制御回路６を接続する。
このエレベータ運行制御回路６は、前記認証判定回路２からの許可階指令を受けるようにし、該エレベータ運行制御回路６に階指定押し釦１６と、エレベータ制御回路１７を接続するようにする。
これにより、外部Ｉ／Ｏ制御回路３に接続した認証判定回路２からの許可階指令をエレベータ運行制御回路６にて受け、階指定押し釦１６からの指定情報と認証判定回路２からの許可階指令情報とから指定階運転指示をエレベータ制御回路１７に与えるようにする。
【００２１】
次に、本発明の作用を第１実施例に基づいて説明する。
予め指定階情報を入力されたタグ所持者がエレベータに搭乗し、赤外線の受光エリア内に入ると、エレベータ内に設置された赤外線発光器８から照射される赤外線をタグＴにて受光可能となる。
【００２２】
このエレベータ内には常時コントローラＣＴＬの光信号変換回路４からのエレベータＩＤが赤外線信号に変換されて赤外線発光器８、例えば、発光ＬＥＤから発光されているので、この発光ＬＥＤからの光信号となったエレベータＩＤ信号を、タグＴの受光フォトダイオード１０にて受光するようになる。次いでこの受光フォトダイオード１０から光信号を受信回路１１に伝達してここでエレベータＩＤに変換した後、ＩＤ合成回路１２に投入することで、このエレベータＩＤとタグＩＤ（固有ＩＤ）を合成して合成ＩＤを形成し、次いでこの合成ＩＤを発信回路１３を経てアンテナ１４，１５を介して電波、例えば、無線信号にて発信する。
【００２３】
この無線信号となった合成ＩＤを受信器９のアンテナ１５にて受信し、その受信信号をコントローラＣＴＬ内の外部Ｉ／Ｏ制御回路３に伝達する。この受信した合成ＩＤをコントローラＣＴＬ内のＩＤ変換回路７にて解析し、合成ＩＤをエレベータＩＤとタグＩＤ（固有ＩＤ）の信号に再び分解して認証判定回路２に伝達する。
【００２４】
この認証判定回路２では、タグＩＤとエレベータＩＤをキーにエレベータ認証用データベース５から認証結果を取得して判定し、許可階指令を得る。その判定結果を認証判定回路２及び外部Ｉ／Ｏ制御回路３を介して、外部Ｉ／Ｏ制御回路３に接続されたエレベータ運行制御回路６に伝達する。
【００２５】
このエレベータ運行制御回路６には、エレベータ内に設置された階指定押し釦１６と接続されているので、エレベータ搭乗者が指定階押し釦１６のいずれかの押し釦を押すことにより、この押し釦で指定された階の指定階押し釦信号と、エレベータ運行制御回路６に伝達された許可階指令とが一致すれば指定階運転指示を出し、エレベータ制御回路１７に伝達され、これにより押し釦にて指定された階に停止するようにしてエレベータは運転制御される。
【００２６】
しかし、エレベータ搭乗者が押した指定階押し釦信号と、エレベータ運行制御回路６に伝達された許可階指令とが一致しない場合、エレベータ運行制御回路６は指定階運転指示を出さないので、いくらエレベータ搭乗者が自分の指定する押し釦を押してもエレベータは搭乗者の指定階には停止しないようにして運転される。
これにより、同じ建物内に階を異にして特別な部屋、特に限定されるものではないが、例えば、役員室、居室等がある場合、予め指定されたタグを持つ人以外の人が、該特別な部屋のある階にはエレベータに乗って来れないので、階段室を閉じるだけで妄りに部外者がり込むのを防止し、より高度の防犯管理を行うことができる。
【００２７】
なお、タグ側の発信回路１３と受信器９間の通信を、赤外線などの光線（光信号）として行うこともできる。この場合は、発信回路１３側に赤外線発光器を、受信器９側に受光フォトダイオードを配設するが、アンテナ１４，１５は不要となる。
【００２８】
以上、本発明のエレベータの行き先階指定運転管理システムについて、実施例に基づいて説明したが、本発明は上記実施例に記載した構成に限定されるものではなく、その趣旨を逸脱しない範囲において適宜その構成を変更することができるものである。
【産業上の利用可能性】
【００２９】
本発明のエレベータの行き先階指定運転管理システムは、タグ所有の有無及び所有タグにより行き先階を自動的に指定するようにしてエレベータの運転を円滑に、かつセキュリティ管理を行うという特性を有していることから、エレベータの行き先階指定運転管理システムの用途に好適に用いることができるほか、例えば、自動倉庫内にコントローラを、保管棚に収納する荷物に本発明のタグを取り付けることで自動倉庫における指定階棚の荷物の出し入れを自動的に行うようにした自動倉庫の運転管理の用途にも用いることができる。
【図面の簡単な説明】
【００３０】
【図１】本発明のエレベータの行き先階指定運転管理システムの第１実施例を示す説明図である。
【符号の説明】
【００３１】
ＣＴＬ  コントローラ  
ＣＰＵ  計算機
Ｔ    タグ
１    エレベータＩＤ生成回路
２    認証判定回路
３    外部Ｉ／Ｏ制御回路
４    光信号変換回路
５    エレベータ認証用データベース
６    エレベータ運行制御回路
７    ＩＤ変換回路
８    赤外線発光器（発光ＬＥＤ）
９    受信器
１０  受光フォトダイオード
１１  受信回路
１２  ＩＤ合成回路
１３  合成ＩＤを発信回路
１４  アンテナ
１５  アンテナ
１６  階指定押し釦
１７  エレベータ制御回路
【図１】
2006096505.tif 000003
【手続補正書】
【提出日】平成16年10月20日(2004.10.20)
【手続補正１】
【補正対象書類名】明細書
【補正対象項目名】００１９
【補正方法】変更
【補正の内容】
【００１９】
この受信器９は１台で複数のタグからの信号を受信するようにすることもできるが、１台のエレベータに１台の受信器９を配設し、該受信器９とコントローラＣＴＬの外部Ｉ／Ｏ制御回路３とを接続するようにする。
なお、この無線信号の送受信は、特に限定されるものではないが、例えば、ＲＦＩＤ（Radio Frequency Identification（電波方式認識））にて行うことができる。